(57)【要約】      （修正有）【課題】着用時のフィット性に優れ、乳房の下部を支持すると共に中央部に寄せて持ち上げる作用を有し、柔軟性により着用時のフィット性に優れた乳房形状のシームレスカップを提供する。【解決手段】発泡ウレタンからなるカップ成形体２は乳房の乳頭部近傍４ａから斜め下方および脇側辺４ｄにいたる扇形部のカップ成形体２の構造で、厚みとして乳頭部近傍４ａを厚く、乳頭部近傍４ａから斜め下方から脇側辺４ｄにいたる扇形部の周辺部５ａにかけての部位を、その残余の部位と同様に徐々に厚みを薄くしている。このような厚みにしながらも、乳頭部近傍４ａから斜め下方から脇側辺４ｄにいたる扇形部の周辺部５ａにかけての各部位の密度および硬さを、上記の残余の部位の密度および硬さよりも高い密度および硬さとして成形したカップ成形体２からなるブラジャー７その他のファンデーション用のシームレスカップ１である。【選択図】図１
0003148456.tif 000002
【実用新案登録請求の範囲】
【請求項１】
発泡ウレタンのカップ成形体２からなるブラジャー７あるいはその他のファンデーションの内部のカップ部４に装着するためのシームレスカップ１において、発泡ウレタンからなるカップ成形体２は乳房の乳頭部近傍４ａから斜め下方から身体の脇側辺４ｄにいたる扇形部５のカップ成形体２の構造として乳頭部近傍４ａを厚く乳頭部近傍４ａから斜め下方から脇側辺４ｄにいたる扇形部５の周辺部５ａにかけての部位をその残余の部位６と同様に徐々に薄くした厚みとしながらも、該乳頭部近傍４ａから斜め下方から脇側辺４ｄにいたる扇形部５の周辺部５ａにかけての各部位の密度および硬さを残余の部位６よりも高い密度および硬さとしたカップ成形体２からなることを特徴とするブラジャー７その他のファンデーション用のシームレスカップ１。
【請求項２】
発泡ウレタンからなるカップ成形体２は、乳房の乳頭部近傍４ａから斜め下方の身体の脇側辺４ｄにいたる扇形部５の間隙５ｂに嵌挿した他の発泡ウレタン素材３ｃを有する発泡ウレタン素材３ｂからなる均等厚さの板状素材３ａからモールド成形したカップ状のモールド加圧成形体２ａであることを特徴とする請求項１に記載のブラジャー７その他のファンデーション用のシームレスカップ１。
【請求項３】
発泡ウレタンからなるカップ成形体２は、発泡ウレタン素材３ｂからなる板状素材３ａの乳房の乳頭部上部のカップ上辺４ｂから斜め下方の身体の脇側辺４ｄにいたる扇形部５の厚みを徐々に厚くして乳房の乳頭部の斜め下方のカップ下辺４ｃから脇側辺４ｄにいたる脇側辺４ｄの厚みを乳頭部上部のカップ上辺４ｂの厚みより厚い発泡ウレタン素材３ｂの板状素材３ａからモールド成形したカップ状のモールド加圧成形体２ａであることを特徴とする請求項１に記載のブラジャー７その他のファンデーション用のシームレスカップ１。
【考案の詳細な説明】
【技術分野】
【０００１】
この考案は女性の乳房の形状を補整するためのブラジャー７その他の女性のバスト部に着用のファンデーションの内部の乳房形状のカップ部４に装着される発泡ポリウレタン成形体からなるシームレスカップ１で、特に乳房を身体の斜め下方の脇側辺４ｄ側にずれることなく確実に保持して乳房形状を補整する作用を有する構造からなるブラジャー７その他の女性のバスト部に着用するファンデーションに内装する発泡ポリウレタン成形体からなるシームレスカップ１に関する。
【背景技術】
【０００２】
女性の下着であるブラジャーその他のバスト部に着用するファンデーションは、着用した衣服にバストの姿を魅力的であるものとするために、乳房の形状を補整し、あるいは乳房をバストの中央部に寄せるなどしてバストラインを整え、その整えられたバストラインが衣服の外側に現れるように、様々な工夫が行われている。
【０００３】
このような工夫の一つとして、カップ部を有するブラジャーにおいて、ポリウレタンフォームからなるカップ部の脇部からカップ中央部付近にかけてカップ部の内部に非伸縮性の芯地を挿入埋設して、カップ部のずり上がりや横方向への引張りに対して対応可能とし、バストの寄せ効果を図って着用感を向上したものが提案されている（例えば、特許文献１参照。）。しかし、このものは、カップ部の内部に非伸縮性の芯地を挿入埋設しているものであり、乳房を下部から脇部にかけて支持する力は強いが、非伸縮性の芯地のためにその部分の柔軟性に欠ける。
【０００４】
また、ブラジャーなどの中心又はパッドとして使用するカップにおいて、ポリウレタン発泡樹脂シートからなるカップ表面に植毛したカップとし、さらにカップ部の中央部の盛り上がり部の肉厚および気泡孔を大とし、周縁部に至るに従って肉厚および気泡孔を小としたカップが提案されている（例えば、特許文献２参照。）。このものはポリウレタン発泡体をカップの中央部の盛り上がり部で肉厚および気泡孔を大とし、周縁部に至るに従って肉厚および気泡孔を小としているので、中央部の盛り上り部が柔軟かつ弾力性に富む一方で、周縁部が保形機能を有するので、着用時の使用感およびフィット性に優れるとされているが、これは中央部と周縁部の大まかな２区分に対するものあって、乳房の脇部や下部の部分について考慮しておらず乳房を中央に寄せる効果もないものである。
【０００５】
【特許文献１】特開２００７−３０３０１０号公報
【特許文献２】実開昭５０−１０７７２３号公報
【考案の開示】
【考案が解決しようとする課題】
【０００６】
本考案が解決しようとする課題は、従来技術の問題点を解消することであり、発泡ポリウレタンを主体とするブラジャー７その他のファンデーションの内部のカップ部４に装着するシームレスカップ１において、この内部にカップ部４を有するブラジャー７その他のファンデーションを身体に装着した際に、着用時のフィット性に優れ、乳房を下部のカップ下辺４ｃから支持すると共に脇側辺４ｄから中央部に寄せて持ち上げる作用を有しながら、下部から脇側辺４ｄにかけての扇形部５のカップ部４の部分を全く非伸縮性とすることなく、やや柔軟性も持ち合わせて着用時のフィット性をより優れたものとした乳房形状のシームレスカップ１を提供することである。
【課題を解決するための手段】
【０００７】
上記の課題を解決するための本考案の手段について、添付の図面を参照して説明する。請求項１の考案の手段では、発泡ウレタンのカップ成形体２からなるブラジャー７あるいはその他のファンデーションの内部のカップ部４へ装着するための乳房形状のシームレスカップ１における考案である。すなわち、発泡ウレタンからなるカップ成形体２は乳房の乳頭部近傍４ａから斜め下方および身体の脇側辺４ｄにいたる扇形部５のカップ成形体２の構造であって、それは、先ず、厚みとして乳頭部近傍４ａを厚く、乳頭部近傍４ａから斜め下方から脇側辺４ｄにいたる扇形部５の周辺部５ａにかけての部位を、その残余の部位６と同様に徐々に厚みを薄くしている。このような厚みにしながらも、乳頭部近傍４ａから斜め下方から脇側辺４ｄにいたる扇形部５の周辺部５ａにかけての各部位の密度および硬さを、上記の残余の部位６の密度および硬さよりも高い密度および硬さとして成形したカップ成形体２からなることを特徴とするブラジャー７その他のファンデーション用のシームレスカップ１である。
【０００８】
さらに、請求項２の考案手段では、上記の手段のブラジャー７あるいはその他のファンデーションの内部のカップ部４へ装着するための発泡ウレタンからなるカップ成形体２は、
乳房の乳頭部近傍４ａから斜め下方の身体の脇側辺４ｄにいたる扇形部５の間隙５ｂに嵌挿した他の発泡ウレタン素材３ｃを有する発泡ウレタン素材３ｂからなる均等厚さの板状素材３ａからモールド成形したカップ状のモールド加圧成形体２ａであることを特徴とする請求項１の手段のブラジャー７その他のファンデーション用のシームレスカップ１である。
【０００９】
さらに、請求項３の考案の手段では、上記の手段のブラジャー７あるいはその他のファンデーションの内部のカップ部４へ装着するための発泡ウレタンからなるカップ成形体２は、発泡ウレタン素材３ｂからなる板状素材３ａの乳房の乳頭部上部のカップ上辺４ｂから斜め下方の身体の脇側辺４ｄにいたる扇形部５の厚みを徐々に厚くして乳房の乳頭部の斜め下方のカップ下辺４ｃから脇側辺４ｄにいたる脇側辺４ｄの厚みを乳頭部上部のカップ上辺４ｂの厚みより厚い発泡ウレタン素材３ｂの板状素材３ａからモールド成形したカップ状のモールド加圧成形体２ａであることを特徴とする請求項１に記載のブラジャー７その他のファンデーション用のシームレスカップ１である。
【考案の効果】
【００１０】
上記の考案の手段により、本考案のブラジャーその他のファンデーションの内部のカップ部へ装着するシームレスカップは、内部にカップ部を有するブラジャーその他のファンデーションを身体に装着した際に、着用時のフィット性に優れ、乳房を下部のカップ下辺から支持すると共に、身体の脇側辺から中央部に寄せて持ち上げる作用を有し、カップ部の下部から脇側辺にかけての扇形部の部分を非伸縮性とすることなく、やや柔軟性を持ち合わせたものとして着用時のフィット性をより優れたものとした乳房形状のシームレスカップである。
【考案を実施するための最良の形態】
【００１１】
本考案を実施するための最良の形態について図面を参照して以下に説明する。本考案のシームレスカップ１は、図１に示すように、ブラジャー７の左右の乳房の部分を被うカップ部４に装着される。このために用いる発泡ウレタンのカップ成形体は縫製することなくモールド成形によりシームレスカップとして一体化されている。
【００１２】
ところで、請求項１の手段の発泡ウレタンからなるカップ成形体２は、乳房の乳頭部近傍４ａから斜め下方のカップ下辺４ｃから身体の脇側辺４ｄにいたる扇形部位５のカップ部４の構造である。この場合、厚みとして乳頭部近傍４ａを肉厚部３ｅとし、脇側辺４ｄ側の扇形部５の周辺部５ａにかけての部位をその残余の部位６と同様に徐々に薄くした厚みの肉薄部３ｆとしている。このような厚みにしながらも、乳頭部近傍４ａから斜め下方の脇側辺４ｄにいたる扇形部５の周辺部５ａにかけての各部位の密度および硬さを、上記の残余の部位６の密度および硬さよりも高い密度および硬さとして成形した発泡ウレタンのカップ成形体１からなるブラジャー７その他のファンデーション用のシームレスカップ１である。
【００１３】
さらに請求項２の手段では、上記の手段のブラジャー用のシームレスカップ１は、発泡ウレタンからなるカップ素材を、図２に示すように、例えば、厚さが１５ｍｍである発泡ウレタン素材３ｂとしている。この発泡ウレタン素材３ｂの乳房の乳頭部近傍４ａから斜め下方の身体の脇側辺４ｄにいたる扇形部５の部分を、図３の（ａ）および（ｂ）に示すように、カップ部４の素材の厚み方向の中央部で脇側辺４ｄ側から半割り状態とし、この発泡ウレタン素材３ｂからなる半割りした間隙５ｂに、図４の（ａ）および（ｂ）に示すように、周辺部５ａから薄板状の厚さが例えば３．０ｍｍの発泡ウレタン素材３ｃを嵌挿する。この場合、発泡ウレタン素材３ｃの硬さは発泡ウレタン素材３ｂよりも硬さの硬いものとしている。このように半割りした間隙５ｂの形状とした発泡ウレタン素材３ｃを嵌挿した発泡ウレタン素材３ｂをモールド成形によるモールド加圧成形体２ａとし、図５の（ａ）に示すカップ成形体２としている。
【００１４】
このカップ成形体２は、図５の（ｂ）に示すように、厚みとして乳頭部近傍４ａを厚い肉厚部３ｅとし、この乳頭部近傍４ａから脇側辺４ｄ側の周辺部５ａにかけての部位を、その部位以外である残余の部位６と同様に、徐々に薄くした厚みの肉薄部３ｆとしながらも、さらに乳頭部近傍４ａから斜め下方の脇側辺４ｄにいたる扇形部５の周辺部５ａにかけての各部位の密度および硬さを、残余の部位６よりも高い密度および硬さとした発泡ウレタンのカップ成形体２からなる請求項１の手段からなるブラジャー７その他のファンデーション用のシームレスカップ１である。
【００１５】
また、さらに請求項３の手段では、上記の手段のブラジャー用のシームレスカップ１は、発泡ウレタンからなるカップ素材を、図６に示すように、発泡ウレタン素材３ｂとしている。この発泡ウレタン素材３ｂの厚さは、例えば、上記の請求項２の手段のカップ素材の厚さである１５ｍｍの例えば略１．９倍の厚さの２８ｍｍのカップ素材としている。このカップ素材の一端側を厚み方向断面で例えば１８ｍｍと１０ｍｍに、他端側を厚み方向断面で例えば１０ｍｍと１８ｍｍに、分割線３ｄで斜め方向に分割する。このカップ素材を一端側から他端側にかけて斜めに２分割して得られた厚さ１８ｍｍの肉厚部３ｅ側を、図７に示すように、乳房の乳頭部近傍４ａから斜め下方の身体の脇側辺４ｄにいたる扇形部５の周辺部５ａとし、１０ｍｍ厚の肉薄部３ｆ側を、この扇形部５の残余の部位６の周縁の肉薄部３ｆとしたカップ素材である。すなわち、図７の（ａ）および（ｂ）に示すように、分割により２枚の板状素材３が得られるので、左右のカップ部４を形成することができる。
【００１６】
得られたカップ部４は、図８の（ａ）に示す発泡ウレタン素材３ｂからなるカップ素材を、モールド成形により加圧成形して、図８の（ｂ）に示すモールド加圧成形体２ａとしている。このように、厚みとしてカップの板状素材３ａの乳頭部近傍４ａを厚く仕上げ、脇側辺４ｄ側の扇形部５の周辺部５ａにかけての部位を、その残余の部位６と同様に、徐々に薄くした厚みとしながらも、さらに乳頭部近傍４ａから斜め下方の脇側辺４ｄにいたる扇形部５の周辺部５ａにかけての各部位の密度および硬さを、それ以外の残余の部位６よりも高い密度および硬さとした発泡ウレタンのカップ成形体２からなる請求項３の手段のブラジャー７その他のファンデーション用のシームレスカップ１である。
【００１７】
このように、図６の形状の請求項３のカップ素材の厚さを、図２の板状素材３ａの厚さよりも厚くした肉厚部３ｅと、図２の板状素材３ａの厚さよりも薄くした肉薄部３ｆとすることで、請求項２の手段の半割り状のカップ部４の素材の間隙５ｂに、厚さが３．０ｍｍの発泡ウレタン素材３ｃを嵌挿してモールド成形したモールド加圧成形体２ａと、略同様の密度および硬さを有する請求項３の手段のカップ成形体２が形成できる。
【図面の簡単な説明】
【００１８】
【図１】本考案のシームレスカップを装着したブラジャーの斜視図である。
【図２】本考案のカップ素材の１実施形状を示す斜視図である。
【図３】本考案の１実施形状のカップ素材の製作過程を示す斜視図と断面図である。
【図４】本考案の１実施形状のカップ素材の出来上がり状態を示す斜視図と断面図である。
【図５】本考案の１実施形状のカップ成形体を示す平面図と断面図である。
【図６】本考案の他の実施形状のカップ素材を示す斜視図である。
【図７】本考案の他の実施形状のカップ素材の分割後のカップ形状部の取り代を示す斜視図である。
【図８】本考案の他の実施形状のカップ形状の素材とカップ成形体を示す図である。
【符号の説明】
【００１９】
１  シームレスカップ
２  カップ成形体
２ａ  モールド加圧成形体
３ａ  板状素材
３ｂ  発泡ウレタン素材
３ｃ  他の発泡ウレタン素材
３ｄ  分割部
３ｅ  肉厚部
３ｆ  肉薄部
４  カップ部
４ａ  乳頭部近傍
４ｂ  カップ上辺
４ｃ  カップ下辺
４ｄ  脇側辺
５  扇形部
５ａ  周辺部
５ｂ  間隙
６  残余の部位
７  ブラジャー
【図１】
0003148456.tif 000003
【図２】
0003148456.tif 000004
【図３】
0003148456.tif 000005
【図４】
0003148456.tif 000006
【図５】
0003148456.tif 000007
【図６】
0003148456.tif 000008
【図７】
0003148456.tif 000009
【図８】
0003148456.tif 000010